(57)【要約】  【課題】シャッター用ロック装置のロックとロック受部の係合を強固にすることを目的として、１つのシャッターに、１組のロック、ロック受部でありながら、係合の手段を２重とすることにより、シャッターの係合を強固とすることができるシャッター用ロック装置を提供する。  【解決手段】シャッター用ロック装置をシャッター板端板部に設け、上記シャッター板を閉鎖位置で当接する下枠にロック機構を設け、該ロック機構１２０に連動するサブロック機構１３０を設けたことを特徴とするシャッター用ロック装置である。【選択図】  図１
2005023732.tif 000002
【特許請求の範囲】
【請求項１】
開口部を開閉可能に閉鎖するシャッターを閉鎖位置に施錠するためのシャッター用ロック装置において、シャッター周辺部に固着され、前記開口部上に設けられた受部と係脱することにより施解錠可能にするロック機構と、該ロック機構の施解錠に連動するサブロック機構とを設けたことを特徴とするシャッター用ロック装置。
【請求項２】
前記ロック機構は、前記受部と係合する溝を設けたラッチと、該ラッチの回動を付勢手段により係止するレバーとからなり、前記サブロック機構は、前記ラッチにラッチ枢軸より離れた位置に起立したガイドピンに、ラッチの回動に伴い従動する前記受部と係脱するサブロックレバーからなることを特徴とする請求項１記載のシャッター用ロック装置。
【請求項３】
前記ロック機構は、前記受部と係合する溝を設けたラッチと、該ラッチの回動を付勢手段により係止するレバーとからなり、前記サブロック機構は、前記レバーの回動に従動すると共に、変位する回転中心で揺動し、前記受部と異なる開口部上に設けた第２受部に係脱するサブロックレバーからなることを特徴とする請求項１記載のシャッター用ロック装置。
【発明の詳細な説明】
【技術分野】
【０００１】
本発明はシャッター用ロック装置に係り、特にロック装置の施錠力の向上を図ったシャッター用ロック装置に関する。
【背景技術】
【０００２】
従来技術としてはシャッター板の端板部にこれを閉鎖位置で施錠するためのロック機構を設け、前記端板部が閉鎖位置で当接する箇所に前記ロック機構のロック受部を備えているものが記載されている。
【特許文献１】特開平９−３１７３６０号公報
【発明の開示】
【発明が解決しようとする課題】
【０００３】
ところで、近年施錠されているシャッターやドアを強引に解錠し、ロック装置を破り室内の金品等を窃盗する被害が多発している。こうした中、施錠装置はより強固に施錠を行うことを求められている。一方、上記従来技術は、シャッターに設けられた１つのロック装置に対して、１対のロックとロック受部とが係合しており、1ヶ所でのみ係合するという方法は必ずしも係合が強固であるとは言えず施錠力の面で問題点があった。
【０００４】
本発明は上記課題を解決したもので、シャッターにおいてシャッター板の端板部に設けられたシャッター用ロック装置であり、該シャッター用ロック装置のロックとロック受部の係合を強固にすることを目的として、１つのシャッターに、施開錠の一連の動作において連動した２つのロック機構を設けることにより、シャッターの係合を強固とすることができるシャッター用ロック装置を提供する。
【課題を解決するための手段】
【０００５】
上記技術的課題を解決するために、本発明の請求項１において講じた技術的手段（以下、第１の技術的手段と称する。）は、建物の開口を開閉可能に閉鎖するシャッターを閉鎖位置に施錠するためのシャッター用ロック装置であって、このシャッター用ロック装置をシャッター板端板部に設け、上記シャッター板を閉鎖位置で当接する下枠にロック機構を設け、該ロック機構に連動するサブロック機構を設けたことを特徴とするシャッター用ロック装置である。
【０００６】
上記第１の技術的手段による効果は、以下のようである。
【０００７】
すなわち、ロック装置内にロック機構に連動するサブロック機構を設けることにより、ロック機構の施解錠を行うと同時にサブロック機構も施解錠できるようになっているため、円滑な作動を行えると共に施錠力を向上させる効果を有する。
【０００８】
上記技術的課題を解決するために、本発明の請求項２において講じた技術的手段（以下、第２の技術的手段と称する。）は、前記ロック機構は、前記受部と係合する溝を設けたラッチと、該ラッチの回動を付勢手段により係止するレバーとからなり、前記サブロック機構は、前記ラッチにラッチ枢軸より離れた位置に起立したガイドピンに、ラッチの回動に伴い従動する前記受部と係脱するサブロックレバーからなることを特徴とする請求項１記載のシャッター用ロック装置である。
【０００９】
上記第２の技術的手段による効果は、以下のようである。
【００１０】
すなわち、ラッチとサブロックレバーを設けて、それらは受部の両側から挟み込むように受部に係合することにより、施錠力の向上ができると共に、前記ラッチに設けたガイドピンでサブロックレバーを従動させることにより、施解錠をスムーズに行うことができる。
【００１１】
上記技術的課題を解決するために、本発明の請求項３において講じた技術的手段（以下、第３の技術的手段と称する。）は、前記ロック機構は、前記受部と係合する溝を設けたラッチと、該ラッチの回動を付勢手段により係止するレバーとからなり、前記サブロック機構は、前記レバーの回動に従動すると共に、変位する回転中心で揺動し、前記受部と異なる開口部上に設けた第２受部に係脱するサブロックレバーからなることを特徴とする請求項１記載のシャッター用ロック装置である。
【００１２】
上記第３の技術的手段による効果は、以下のようである。
【００１３】
すなわち、ラッチと変位する回転中心で揺動するサブロックレバーとをそれぞれ異なる受部に係合させることにより、施錠力を向上することができると共にシャッター用ロック装置をコンパクトにできる効果を有する。
【発明を実施するための最良の形態】
【００１４】
以下、本発明の実施例について、図面に基づいて説明する。
【００１５】
図１は本発明のシャッター用ロック装置の正面図である。図２（Ａ）乃至（Ｅ）は本発明のシャッター用ロック装置の閉鎖状態から開放状態の正面図である。図３は本発明の第二実施例のシャッター用ロック装置の正面図である。図３（Ａ）乃至（Ｂ）は本発明の第二実施例のシャッター用ロック装置の閉鎖状態から開放状態の正面図である。
【００１６】
まず、本発明の第一実施例であるシャッター用ロック装置の構成及びその作用について説明する。
【００１７】
図１に示されるロック本体１００は、シャッター下端部（図示せず）に固着され、断面略コの字状のベース１１０内に、ロック機構１２０及びサブロック機構１３０を収容することによって構成されている。
【００１８】
なお、ロック本体１００は、シャッター側辺上に固着しても本発明のシャッター用ロック装置の機能を損なうことはない。また、ロック本体１００をシャッターへ取付ける形態としては、本出願人が出願した特願２０００−１３１２８９号に開示したような取付部１１４で行うとよい。
【００１９】
ロック機構１２０は、シャッターを閉じた状態（施錠時）において、操作つまみ部１２１ｂにより直接的に人間が解錠操作するレバー１２１と、開口部下端に設けられた受部１４０と噛み合い施錠状態を保持可能なラッチ１２２とにより構成される。
【００２０】
レバー１２１は、ベース１１０内より外に突出した部分をシャッターのロック解錠を行うため直接的に人間が上方向に上げる操作をするので樹脂を被覆した操作つまみ部１２１ｂと、レバー１２１の移動範囲を制限するためベース１１０に設けられた係止片１１１と嵌合する孔部１２１ｄと、レバー１２１をロック本体１００内に回動自在に支持するためにベース１１０に固設された回動ピン１１２が挿通する孔部１２１ｅと、テンションスプリング１２３の一端が係止される係止片１２１ｃと、ラッチ１２２と係合可能な正面略コの字状に窪んだ溝部１２１ａとを備える。
【００２１】
ラッチ１２２は、ロック本体１００内に回動自在に支持するためにベース１１０に固設された回動ピン１１３に挿通する孔部１２２ｄと、受部１４０と係合するＵ字型の溝部１２２ａと、テンションスプリング１２３の他端が係止される係止片１２２ｃと、レバー１２１の溝部１２１ａに対してラッチ１２２の回動により係合される突起部１２２ｅと、サブロック機構１３０を従動させるためにラッチ１２２平面上に起立した円筒形状の従動ピン１２２ｂとを備える。
【００２２】
テンションスプリング１２３は、レバー１２１において回動ピン１１２を中心軸として時計回りの方向に付勢し、ラッチ１２２においては回動ピン１１３を中心軸として反時計回りの方向に付勢している。
【００２３】
サブロック機構１３０は、前述した受部１４０に係合するサブロックレバー１３１から構成される。
【００２４】
サブロックレバー１３１は、サブロックレバー１３１自体をロック本体１００内に回動自在に支持するために、ベース１１０に固設された回動ピン１１２に挿通する孔部１３１ｃと、従動ピン１２２ｂと係合している状態で回動ピン１１３を中心とした円弧で描かれるカム面１３１ｄと、ラッチ１２２の溝部１２２ａに回動ピン１１２を中心軸として回動し係合する方向に付勢するフック部１３１ａとを備える。なお、サブロックレバー１３１とベース１１０との間には、サブロックレバー１３１を反時計回りに付勢されるように回動ピン１１２周りで保持されているトーションスプリング１３２が配置されている。
【００２５】
第一実施例のシャッター用ロック装置の作動について説明する。
【００２６】
まず、図２（Ａ）乃至（Ｅ）に示されるようなラッチ１２２、サブロックレバー１３１と受部１４０の係合状態を解除した状態（解錠状態）から、ラッチ１２２、サブロックレバー１３１が受部１４０に係合した状態（施錠状態）について説明する。
【００２７】
図２（Ａ）でシャッター開放状態から、閉めるためにシャッターを下げていくと、ラッチ１２２の溝部１２２ａの壁に受部１４０が当接し、更にシャッターを下げていくとラッチ１２２が受部１４０によって時計回りに回動する。ラッチ１２２の回動に伴い突起部１２２ｅがレバー１２１の側面に沿って移動していく。ラッチ１２２の回動が更に進むと（シャッターを完全に閉めようとする）、図２（Ｂ）に示すように、突起部１２２ｅはレバー１２１の側面から外れ、突起部１２２ｅは一度溝部１２１ａとの係合位置から通り過ぎる。ここでシャッターは巻取り機能（図示せず）などにより常に上方向（巻取り方向）に付勢されているため、ラッチ１２２は反時計回りに回動し、レバー１２１はテンションスプリング１２３の付勢力により時計回りに回動し溝部１２１ａに係合する。突起部１２２ｅが側面から外れるのに伴いラッチ１２２に設けた従動ピン１２２ｂにより係止されていたサブロックレバー１３１は、ラッチ１２２の回動で従動ピン１２２ｂがサブロックレバー１３１から離れることによって係止を解除され、トーションスプリング１３２の付勢力により反時計回りに回動ピン１１２を中心軸として回動する。図２（Ｃ）に示すように、ラッチ１２２の溝部１２２ａが受部１４０と係合するとともにサブロックレバー１３１のフック部１３１ａが受部１４０に係合してシャッターを施錠した状態となる。
【００２８】
次に、図１に示されるロック本体１００が設置されたシャッターを開ける際には、図２（Ｄ）に示すように、シャッターを閉鎖状態から開けるために、レバー１２１の操作つまみ部１２１ｂを上方向に操作し、レバー１２１はラッチ１２２と係合を解除し、ラッチ１２２は回動ピン１１３を中心軸として反時計回りに回動可能な状態となる。更に、この状態からシャッターを上方向に上げることにより、図２（Ｅ）に示すように、受部１４０が、ラッチ１２２に相対的に下方へ移動するため、ラッチ１２２が反時計回りに回動させられる。このラッチ１２２の回動によって、従動ピン１２２ｂがサブロックレバー１３１を時計回りに押すため、サブロックレバー１３１と受部１４０との係合が外れる。シャッターが更に上方向に上がることにより、図２（Ａ）に示すように、ラッチ１２２と受部１４０との係合も解除され、シャッターが開放される。
【００２９】
なお、ここではサブロックレバー１３１を反時計回りに付勢されるように回動ピン１１２周りで保持されているトーションスプリング１３２を設けたが、例えば、サブロックレバー１３１に従動ピン１２２ｂと常に係合しているような略円弧状の溝部（カム面１３１ｄの形状を一部利用したもの）を設け、シャッター開閉時のラッチ１２２の回動に伴い、従動ピン１２２ｂが当該溝部に対して押し込みや引き込みの力を与えることにより、サブロックレバー１３１を回動ピン１１２を中心軸として時計回りや反時計回りに回動させることができるため、トーションスプリング１３２を排除する形態でも構わない。
【００３０】
また、ここで図２（Ｃ）に示す※部のスペースを無くしてしまうと、受部１４０とフック部１３１ａの直接当接する部位との摩擦により、ラッチ１２２とサブロックレバー１３１共に解錠方向へ回動しない場合があるため、本発明では※部に適度なクリアランスを設けてある。しかしながら、受部１４０とフック部１３１ａの摩擦を減らすような手段として例えば、摩擦抵抗の少ない部材を受部１４０とフック部１３１ａ間に挟むなどして滑らかに回動させるようにしてもよい。
【００３１】
続いて第二実施例を図面で説明する。
【００３２】
まず、本発明の第二実施例であるシャッター用ロック装置の構成について説明する。
【００３３】
図３に示されるロック本体２００は、第一実施例と同様にシャッター下端部（図示せず）に固着され、断面略コの字状のベース２１０内に、第一実施例と略同一構造のロック機構２２０とサブロック機構２３０を収容することによって構成されている。なお、ロック本体２００は、シャッター側辺上に固着しても本発明のシャッター用ロック装置の機能を損なうことはない。また、ロック本体２００をシャッターへ取付ける形態としては、第一実施例の取付部１１４と同一構造の取付部２１５で行うとよい。
【００３４】
ロック機構２２０は、シャッターを閉じた状態（施錠時）において、第一実施例と同一構造の操作つまみ部２２１ｂにより直接的に人間が解錠操作するレバー２２１と、開口部下端に設けられた受部２４０と噛み合い施錠状態を保持可能なラッチ２２２とにより構成される。
【００３５】
レバー２２１は、ベース２１０内より外に突出した部分を直接的に人間が上方向に上げる操作をして人間がシャッターのロック解錠を行うため樹脂が被覆された操作つまみ部２２１ｂと、レバー２２１の移動範囲を制限するためベース２１０に設けられた係止片２１１と嵌合する孔部２２１ｄと、レバー２２１をロック本体２００内に回動自在に支持するためにベース２１０に固設された回動ピン２１２が挿通する孔部２２１ｅと、テンションスプリング２２３の一端が係止される係止片２２１ｃと、ラッチ２２２と係合可能な正面略コの字状に窪んだ溝部２２１ａとを備える。
【００３６】
ラッチ２２２は、ロック本体２００内に回動自在に支持するためにベース２１０に固設された回動ピン２１３に挿通する孔部２２２ｄと、受部２４０と係合するＵ字型の溝部２２２ａと、テンションスプリング２２３の他端が係止される係止片２２２ｃと、レバー２２１の溝部２２１ａに対してラッチ２２２の回動により係合される突起部２２２ｅとを備える。
【００３７】
サブロック機構２３０は、受部２４０と異なる開口上に固設した第二受部２５０に係合するサブロックレバー２３１から構成される。
【００３８】
サブロックレバー２３１は、サブロックレバー２３１自体をロック本体２００内に並進方向に案内及び支持するためベース２１０に固設された回動ピン２１２及び回動ピン２１４に対してそれぞれ挿通し任意の一方向に長く形成した孔部２３１ｃ及び孔部２３１ｄと、第二受部２５０に対して当接している間はシャッターを下げていくとサブロックレバー２３１を反時計回りに回動させる方向に力を受ける丸みを帯びた形状のカム面２３１ｅと、第二受部２５０に係合するフック部２３１ａと、レバー２２１の側面に当接しサブロックレバー２３１がレバー２２１に連動するような曲げ部２３１ｆとを備える。ここで、孔部２３１ｃ及び孔部２３１ｄを長孔形状にして回動ピン２１２及び回動ピン２１４をそれぞれ挿通しており長穴方向でスライド可能になっているため、サブロックレバー２３１は、変位する回転中心を持ち揺動することができるようになっている。なお、サブロックレバー２３１とベース２１０との間には、サブロックレバー２３１を時計回りに付勢されるように回動ピン２１４周りで保持されているトーションスプリング２３２が配置されている。
【００３９】
次に、第二実施例のシャッター用ロック装置の作動について説明する。
【００４０】
図４（Ａ）乃至（Ｅ）に示されるようなラッチ２２２と受部２４０、サブロックレバー２３１と第二受部２５０の係合状態を解除した状態（解錠状態）から、ラッチ２２２が受部２４０に、サブロックレバー２３１が第二受部２５０に係合した状態（施錠状態）について説明する。
【００４１】
図４（Ａ）でシャッター開放状態から閉めるためにシャッターを下げていくと、図４（Ｂ）に示すように、ラッチ２２２の溝部２２２ａに受部２４０が当接し、更にシャッターを下げていくとラッチ２２２が時計回りに回動する。ラッチ２２２の回動に伴い突起部２２２ｅがレバー２２１の側面に沿って移動していく。
【００４２】
他方で、サブロックレバー２３１は、シャッターを下げていくとカム面２３１ｅが第二受部２５０に当接し、更にシャッターを下げていくとカムの作用で図４（Ｃ）に示すように、フック部２３１ａが第二受部２５０に係合し、トーションスプリング２３２により回動ピン２１２と回動ピン２１４を軸として時計回りに付勢され、サブロックレバー２３１に設けたフック部２３１ａが第二受部２５０に係合する。
【００４３】
一方、ラッチ２２２の回動が更に進む（シャッターを完全に閉めようとする）と、突起部２２２ｅはレバー２２１の側面から外れ、レバー２２１はテンションスプリング２２３の付勢力により反時計回りに回動することにより、図４（Ｄ）に示すように、突起部２２２ｅを溝部２２１ａ内に嵌めこむ。ここでシャッターは巻取り機能（図示せず）などにより常に上方向（巻取り方向）に付勢されているため、シャッターに対して受部２４０が相対的に下方へ移動し、ラッチ２２２は受部２４０により反時計回りに回動させられ、溝部２２１ａに係合する。これらの動きにより、シャッターを施錠した状態となる。
【００４４】
次に、シャッターを開ける際には、図４（Ｅ）に示すように、シャッターを閉鎖状態から開けるために、レバー２２１の操作つまみ部２２１ｂを上方向に操作し、溝部２２１ａと突起部２２２ｅとの係合が外れ、ラッチ２２２は回動ピン２１３を中心軸として反時計回りに回動可能な状態となる。これと同時に受部２４０がラッチ２２２に対して相対的に下方へいくためラッチ２２２は回動ピン２１３を中心軸として反時計回りに回動し、ある程度まで係合が外れるとテンションスプリング２２３の付勢力により反時計回りに回動する。この動作と同時に、曲げ部２３１ｆにレバー２２１が当接しサブロックレバー２３１は、回動ピン２１２及び回動ピン２１４を軸として変位する回転中心を持ち反時計回りに揺動する。これらの動きにより、ラッチ２２２の溝部２２２ａと受部２４０との係合及びサブロックレバー２３１のフック部２３１ａと第二受部２５０とが係合の状態を解除していく。
【００４５】
なお、ここでは曲げ部２３１ｆとトーションスプリング２３２を設けたが、例えば、トーションスプリング２３２を排除し、レバー２２１に曲げ部２３１ｆが移動可能なように係合する略矩形の溝部を形成し、曲げ部２３１ｆを当該溝部に係合させる形態にしてもよい。この形態によれば、シャッターの開放時、サブロックレバー２３１は、レバー２２１の回動に伴い溝部および曲げ部２３１ｆにより連動して回動し、第二受部２５０との係合を解除する。一方、シャッターの閉鎖時、サブロックレバー２３１は、第二受部２５０から押力を受け回動し、曲げ部２３１ｆと溝部との係合によりレバー２２１も回動させつつ、第二受部２５０と係合する。
【００４６】
また、特にシャッターにおいては、上方に巻き取られた際に、巻取り径を小さくするために薄くする必要があるが、ロックとロック受部との係合を強化しようとするとロック装置自体の厚みが増大する傾向にある。第二実施例では、サブロックレバーは、変位する回転中心を持つ２つの軸で揺動させることにより、ロックとロック受部との係合を強化しつつも厚み方向にコンパクトなロック装置を実現することができる。
【００４７】
更に、ここでは、ラッチ２２２と受部２４０、サブロックレバー２３１と第二受部２５０がそれぞれ同時に係合された例を挙げたが、それらの動きはそれぞれ独立したものであるためラッチ２２２が受部２４０に係合した後にサブロックレバー２３１が第二受部２５０に係合しても良いし、サブロックレバー２３１が第二受部２５０に係合した後にラッチ２２２が受部２４０に係合しても本発明の第二実施例のシャッター用ロック装置の機能を損なうことはない。
【図面の簡単な説明】
【００４８】
【図１】第一実施例のシャッター用ロック装置の正面図。
【図２】第一実施例のシャッター用ロック装置の作動図。
【図３】第二実施例のシャッター用ロック装置の正面図。
【図４】第二実施例のシャッター用ロック装置の作動図。
【符号の説明】
【００４９】
１００，２００…ロック本体
１１０，２１０…ベース
１２１，２２１…レバー
１２２，２２２…ラッチ
１２３，２２３…テンションスプリング
１３１，２３１…サブロックレバー
１４０，２４０…受部
２５０…第二受部
【図１】
2005023732.tif 000003
【図２】
2005023732.tif 000004
【図３】
2005023732.tif 000005
【図４】
2005023732.tif 000006